(57)【要約】【課題】ペットがペット用保温マットに着座したときから保温効果を発揮させることができるペット用保温マットを提供する。【解決手段】ペット用保温マット１は、断熱シート２と、断熱シート２の一方の面に配置され、袋３１の内部に保温材としての発泡粒子３２が充填されて形成された保温部材３と、断熱シート２及び保温部材３を収納するカバー袋７とを備える。保温材としての発泡粒子３２は、ペット１０から熱を吸収することはなく、また、ペットからの放射熱及び伝導熱により発泡粒子３２及び発泡粒子間の空気が短時間で暖められるので、ペットに直ぐに暖かさを感じさせることができる。【選択図】図１
2009136176.tif 000002
【特許請求の範囲】
【請求項１】
断熱シートと、
該断熱シートの一方の面に配置され、袋内部に保温材としての発泡粒子が充填されて形成された保温部材と、
前記断熱シート及び前記保温部材を収納するカバー袋と、を備えたことを特徴とするペット用保温マット。
【請求項２】
請求項１に記載のペット用保温マットにおいて、
前記断熱シートと前記保温部材との間に金属シートを備えたことを特徴とするペット用保温マット。
【請求項３】
請求項１又は２に記載のペット用保温マットにおいて、
前記袋は複数の発泡粒子収納部に区画され、この各発泡粒子収納部に前記発泡粒子が充填されたことを特徴とするペット用保温マット。
【請求項４】
請求項１乃至３にいずれか一つに記載のペット用保温マットにおいて、
前記断熱シートと前記保温部材が互いに押圧し合った状態で前記カバー袋に収納されたことを特徴とするペット用保温マット。
【発明の詳細な説明】
【技術分野】
【０００１】
本発明は、床や地面の上に敷かれるペット用保温マットに関する。
【背景技術】
【０００２】
犬や猫などのペットは、長時間、同じ場所で横臥していることが多い。このようなペットの居場所を快適な空間とするために、ペット用保温マットが敷かれる。
【０００３】
ところで、犬や猫などのペットは体毛により体温を維持するため、気温が低い場所でも長時間耐えることができる動物ではあるが、ペットの品種によっては寒さに弱いものもいる。また、高齢化したペットは代謝機能が低下していることから自らの体温維持が困難になっている。
【０００４】
そのため、寒さに弱いペットや高齢化したペットのために、ペットの居場所に電気式の保温マットが敷かれていた。しかしながら、保温マットの設定温度を低温に設定した場合であっても、ペットは同じ場所に横臥している時間が長いので、低温やけどを起こしてしまう虞があった。
【０００５】
そこで、電気を使用しないペット用保温マットとして、ペットの体温を蓄える蓄熱シートと熱反射シートを積層した保温マット（特許文献１参照）が提案されていた。
【特許文献１】実用新案登録第３０６６９７５号公報
【発明の開示】
【発明が解決しようとする課題】
【０００６】
しかしながら、蓄熱シートは融点以上の温度に加熱することにより持続的に保温効果を発揮するものであるため、このような蓄熱シートを用いた保温マットは、使用するときに蓄熱シートを加熱する必要があり、面倒であった。また、蓄熱シートを加熱しなくても保温マットを使用することはできるが、蓄熱シートがペットの体温と同等の温度になるまではペットから熱を奪うこととなるので、結果的に、ペットの体力を消耗させてしまうことになる。
【０００７】
本発明はこのような状況に鑑みてなされたものであり、ペットがペット用保温マットに着座したときから保温効果を発揮させることができるペット用保温マットを提供することを目的とする。
【課題を解決するための手段】
【０００８】
本発明に係るペット用保温マットは、断熱シートと、該断熱シートの一方の面に配置され、袋内部に保温材としての発泡粒子が充填されて形成された保温部材と、前記断熱シート及び前記保温部材を収納するカバー袋と、を備えたことを特徴とする。
【０００９】
本発明によれば、ペット用保温マットは断熱シートと保温部材が積層されたものであり、床や地面とペットとの間の熱伝導が断熱シートで遮断されることから、保温効果を持続させることができる。また、保温部材の袋内部に充填された発泡粒子は、ペットから熱を殆ど吸収することはなく、また、ペットからの放射熱及び伝導熱により発泡粒子及び発泡粒子間の空気が短時間で暖められるので、ペットに直ぐに暖かさを感じさせることができる。
【００１０】
また、保温部材は発泡粒子が袋内部に充填され形成されたものであることから、ペットがペット用保温マットに横臥することにより保温部材に体重が加えられても、綿シートのように、綿が圧縮され、内包した空気が外部に押し出されてしまうことはなく、発泡粒子内の孔空間や、発泡粒子間の空間に空気を確実に保持するので、これにより、温度維持する保温機能を向上させることができる。
【００１１】
また、発泡粒子は袋内で流動自在であることから、保温部材はクッションとして機能する。具体的には、ペット用保温マットにペットの体重が加えられたときは、その力が分散するように各発泡粒子が移動するので、ペットの体重は、体躯の特定の箇所だけで支持されるのではなく、体躯の特定の箇所を含めた広がりのある面で支持されることとなる。従って、ペットが長時間、同じ場所で同じ姿勢で横臥していても、体躯の特定箇所だけが常時押圧されるということを防止することができ、これにより、体躯の特定箇所の炎症を防止することができる。
【００１２】
また、本発明に係るペット用保温マットでは、前記断熱シートと前記保温部材との間に金属シートを備えたことを特徴としてもよい。
【００１３】
この構成によれば、ペットから発散される放射熱のうち、保温部材を通過した放射熱は金属シートで反射され、保温部材を加熱するために有効に利用されることから、更に、短時間で保温部材を加熱することができる。
【００１４】
また、本発明に係るペット用保温マットでは、上記のペット用保温マットにおいて、前記袋は複数の発泡粒子収納部に区画され、この各発泡粒子収納部に前記発泡粒子が充填されたことを特徴としてもよい。
【００１５】
この構成によれば、発泡粒子の移動は袋内の発泡粒子収納部だけに制限されることから、発泡粒子が袋の一方側に偏ってしまうことを防止することができる。これにより、ペット用保温マットの全体に発泡粒子を存在させることができ、ペットが直に断熱シートに接触することを防止することができるので、ペットの居心地をよくすることができる。
【００１６】
また、本発明に係るペット用保温マットでは、上記のペット用保温マットにおいて、前記断熱シートと前記保温部材が互いに押圧し合った状態で前記カバー袋に収納されたことを特徴としてもよい。
【００１７】
このような構成により、変形自在である保温部材を断熱シートの面全体を覆うように配置させて面全体に略均等に発泡粒子を存在させることができることから、ペット用保温マットを常に略平坦なものとすることができるので、ペットの居心地をよくすることができる。
【発明の効果】
【００１８】
本発明に係るペット用保温マットによれば、断熱シートと、保温材としての発泡粒子が充填されて形成された保温部材と、断熱シート及び保温部材を収納するカバー袋と、を備えていることから、床や地面とペットとの間の熱伝導が断熱シートで遮断されるので保温効果を持続させることができる。また、保温部材の袋内部に充填された発泡粒子は、ペットから熱を殆ど吸収することはなく、また、ペットからの放射熱及び伝導熱により発泡粒子及び発泡粒子間の空気が短時間で暖められるので、ペットに直ぐに暖かさを感じさせることができる。
【００１９】
また、保温部材は発泡粒子が袋内部に充填され形成されたものであり、発泡粒子内の孔空間や、発泡粒子間の空間に空気を確実に保持するので、これにより、温度維持する保温機能を向上させることができる。
【００２０】
また、発泡粒子は袋内で流動自在であることから、保温部材はクッションとして機能するので、ペットの体躯の特定箇所の炎症を防止することができる。
【００２１】
また、本発明に係るペット用保温マットによれば、上記のペット用保温マットにおいて、断熱シートと保温部材との間に金属シートを備えたものは、ペットから発散される放射熱のうち、保温部材を通過した放射熱は金属シートで反射され、保温部材を加熱するために有効に利用されることから、更に、短時間で保温部材を加熱することができる。
【００２２】
また、本発明に係るペット用保温マットによれば、上記のペット用保温マットにおいて、発泡粒子が充填される袋は複数の発泡粒子収納部に区画され、この各発泡粒子収納部に発泡粒子が充填されることから、発泡粒子の移動は袋内の発泡粒子収納部だけに制限されるので、発泡粒子が袋の一方側に偏ってしまうことを防止することができる。これにより、ペット用保温マットの全体に発泡粒子を存在させることができ、ペットが直に断熱シートに接触することを防止することができるので、ペットの居心地をよくすることができる。
【００２３】
また、本発明に係るペット用保温マットによれば、上記のペット用保温マットにおいて、断熱シートと保温部材が互いに押圧し合った状態でカバー袋に収納されていることから、変形自在である保温部材を断熱シートの面全体を覆うように配置させて面全体に略均等に発泡粒子を存在させることができるので、ペット用保温マットを常に略平坦なものとすることができ、これにより、ペットの居心地をよくすることができる。
【発明を実施するための最良の形態】
【００２４】
以下、本発明の実施の形態を図面に基づいて説明する。
【００２５】
図１は、本発明の実施の形態に係るペット用保温マットの断面図である。図２は、本発明の実施の形態に係るペット用保温マットの他の例の断面図である。図３は、本発明の実施の形態に係るペット用保温マットの使用状態を示した説明図である。
【００２６】
本発明の実施の形態に係るペット用保温マット１は、ペット１０の居場所に敷かれ、ペット１０と地面と間を断熱すると共に、ペット１０の体温により温められるものである。具体的には、ペット用保温マット１は、断熱シート２と、熱を蓄える保温部材３と、断熱シート２及び保温部材３を収納するカバー袋７と、を備えている（図１参照）。
【００２７】
また、ペット用保温マット１は、図２に示すように、断熱シート２と保温部材３との間に、ペットからの放射熱を反射する金属シート４を配置してもよい。以下では、金属シート４を配置したペット用保温マットを例に挙げて説明する。
【００２８】
断熱シート２は、床や地面からペット用保温マット１への熱伝導を遮断するためのものであり、断熱性と弾力性を備えたシートにより形成される。例えば、断熱シート２は、厚さ５ｍｍ〜２０ｍｍのウレタンシートにより形成される。断熱シート２の一方の面には、金属シート４が接着されている。これにより、ペット１０から放射される放射熱を反射するようにされる。
【００２９】
金属シート４の上には、発泡粒子３２（後述参照）が充填された保温部材３が配置されるが、ペット１０からの放射熱の一部は、この発泡粒子間を通過して金属シート４まで到達し、この金属シート４で反射される。これにより、ペット１０から発散される放射熱のうち、保温部材３を通過する放射熱が金属シート４で反射されることから、ペット１０からの放射熱は略全量、保温のために利用されることとなる。
【００３０】
金属シート４としては、ペット１０からの放射熱を反射するものであればよいが、例えばアルミニウムシートが用いられる。特に、ポリプロピレン、ポリエチレンなど伸縮性のある各種シートにアルミニウムが蒸着されたアルミニウム蒸着シートを用いるのがよい。これにより、ペット１０の牙や爪などにより破かれたとしても破片に分裂しないので、その効果を持続させることができる。
【００３１】
また、金属シート４と断熱シート２との間に、通気性を備えた多孔性シートを配置してもよい。この構成によれば、金属シート４から断熱シート２への熱拡散が防止されるので、更に、ペット用保温マット１の断熱効果を向上させることができる。
【００３２】
保温部材３は、断熱シート２において金属シート４が積層された側に配置される（つまり、金属シート４は、断熱シート２と保温部材３との間に配置されることとなる）。保温部材３の金属シート４への配置は、接着させた状態としてもよいし、また、単に当接させただけの状態としてもよい。保温部材３を断熱シート２に当接させただけの状態（断熱シート２から分離可能な状態）で配置した場合は、保温部材３だけをカバー袋７から取り出すことができるので、ペット用保温マット１を保温効果の小さいマットとしても使用することができる。
【００３３】
また、保温部材３は、保温材としての発泡粒子３２が袋３１に充填され形成される。この袋３１は、保温部材３内の熱や湿気が籠もらないように、通気性の織布で形成されている。
【００３４】
発泡粒子３２としては、例えば、ポリスチレンを発泡させて形成された球状のポリスチレン発泡ビーズが用いられる。ポリスチレン発泡ビーズは、例えば、直径が０．４ｍｍ〜２．０ｍｍとされる。ポリスチレン発泡ビーズは、高い保温性、断熱性を有しているため、ペット１０からの放射熱が確実に保持されると共に、ペット１０から殆ど熱を奪うこともない。従って、ペット１０が保温部材３の上に横臥したときから適度な暖かさを感じさせることができる。また、ポリスチレン発泡ビーズは高い流動性を有している。そのため、圧力に対して保温部材３が自在に変形するので、保温部材３はクッションとしても機能も備える。
【００３５】
また、発泡粒子３２を充填するための袋３１を複数の発泡粒子収納部３３に区画し、各発泡粒子収納部３３に発泡粒子３２を充填するようにしてもよい（図２参照）。この構成によれば、発泡粒子３２の移動は当該発泡粒子収納部内だけに制限されることから、発泡粒子３２が袋３１の一方側に偏ってしまうことを防止することができる。これにより、ペット用保温マット１の全体に発泡粒子３２を存在させることができるので、ペット１０が直に断熱シート２に接触することを防止できる。
【００３６】
例えば、寸法が４０ｃｍ×３０ｃｍである袋３１は、縦横それぞれ２分割されて４つの領域に区画され、それぞれに等量の発泡粒子３２が充填される。このような構成により、確実に、４箇所の領域に発泡粒子３２を分散させることができる。
【００３７】
カバー袋７は、蒸れを防止するため、通気性を備えた織布により形成されている。また、カバー袋７の開口部７１は、スライド式ファスナや面ファスナにより開閉自在とされ、断熱シート２、金属シート４及び保温部材３の取り出しが可能とされている。したがって、ペット用保温マット１がペット１０の唾液などで汚染された場合でも、断熱シート２、金属シート４及び保温部材３を取り出してカバー袋７を洗浄することができるので、簡単且つ迅速に、ペット用保温マット１を清潔な状態にすることができる。
【００３８】
また、カバー袋７は、その内部に収納される断熱シート２と、金属シート４と、保温部材３を全体的に押圧する状態に収納しうる寸法とされている。具体的には、カバー袋７の容積が、断熱シート２と、金属シート４と、保温部材３を合計した容積と略同容積となるように、カバー袋７が形成される。そして、断熱シート２と、金属シート４と、保温部材３が、互いに押圧し合った状態でカバー袋７に収納されることとなる。このような収納により、保温部材３は、発泡粒子３２の流動性により変形して断熱シート２の面全体を覆うように配置され、発泡粒子３２がペット用保温マット１の面全体に均等に分散するので、ペット用保温マット１を平坦なものとすることができる。この結果、ペット１０の居心地をよくすることができる。
【００３９】
以上のペット用保温マット１によれば、ペット用保温マット１は、断熱シート２と保温部材３が積層されたものであり、床や地面とペット１０との熱伝導が断熱シート２で遮断されることから、保温効果を持続させることができる。また、保温部材３の袋３１の内部に充填された発泡粒子３２は、ペット１０から熱を殆ど吸収することはなく、また、ペット１０からの放射熱及び伝導熱により発泡粒子３２及び発泡粒子３２の間の空気が短時間で暖められるので、ペット１０に直ぐに暖かさを感じさせることができる。
【００４０】
また、保温部材３は発泡粒子３２が袋３１内部に充填され形成されたものであることから、ペット１０がペット用保温マット１に横臥することにより保温部材３に体重が加えられても、綿シートのように、綿が圧縮され、内包した空気が外部に押し出されてしまうことはなく、発泡粒子３２内の孔空間や、発泡粒子間の空間に空気を確実に保持されるので、これにより、温度維持する保温機能を向上させることができる。
【００４１】
また、発泡粒子３２は袋３１内で流動自在であることから、保温部材３はクッションとして機能する。具体的には、ペット用保温マット１にペット１０の体重が加えられたときは、その力が分散するように各発泡粒子３２が移動するので、ペット１０の体重は、体躯の特定の箇所だけで支持されるのではなく、体躯の特定の箇所を含めた広がりのある面で支持されることとなる。従って、ペット１０が長時間の同じ場所で同じ姿勢で横臥していても、体躯の特定箇所だけが常時押圧されるということを防止することができ、これにより、体躯の特定箇所の炎症を防止することができる。
【００４２】
また、本発明に係るペット用保温マット１によれば、断熱シート２と保温部材３との間に金属シート４を備えていることから、ペット１０から発散される放射熱のうち、保温部材３を通過した放射熱は金属シート４で反射され、保温部材３を加熱するために有効に利用されるので、更に、短時間で保温部材３を加熱することができる。
【００４３】
また、本発明に係るペット用保温マット１によれば、発泡粒子３２が充填される袋３１が複数の発泡粒子収納部３３に区画されたことから、発泡粒子３２の移動は袋内の発泡粒子収納部３３だけに制限されるので、発泡粒子３２が袋３１の一方側に偏ってしまうことを防止することができる。これにより、ペット用保温マット１の全体に発泡粒子３２を存在させることができ、ペット１０が直に断熱シート２に接触することを防止することができるので、ペット１０の居心地をよくすることができる。
【００４４】
また、本発明に係るペット用保温マット１によれば、断熱シート２と保温部材３が互いに押圧し合った状態でカバー袋７に収納されていることから、変形自在である保温部材３を断熱シート２の面全体を覆うように配置させて、面全体に略均等に発泡粒子３２を存在させることができるので、ペット用保温マット１を常に略平坦なものとすることができる。これにより、ペット１０の居心地をよくすることができる。
【図面の簡単な説明】
【００４５】
【図１】本発明の実施の形態に係るペット用保温マットの断面図である。
【図２】本発明の実施の形態に係るペット用保温マットの他の例の断面図である。
【図３】本発明の実施の形態に係るペット用保温マットの使用状態を示した説明図である。
【符号の説明】
【００４６】
１            ペット用保温マット
２            断熱シート
３            保温部材
４            金属シート
７            カバー袋
３１            袋
３２            発泡粒子
【図１】
2009136176.tif 000003
【図２】
2009136176.tif 000004
【図３】
2009136176.tif 000005